(57)【要約】温度コントローラ１０２であって、マイクロプロセッサｕＰ１と、ヒーターの作動温度を検知する温度検知装置と、加熱部品を流れる電流値を検知する電流検知装置と、制御リレーと、外部インターフェースと、を含み、マイクロプロセッサｕＰ１は、温度検知装置および電流検知装置から受信した温度および電流値に基づき、温度コントローラ１０２の作動状態を確定し、制御リレーに制御信号を送信することにより、ヒーターの作動を制御して温度を調節する。温度コントローラ１０２は、温度測定の同時に電流測定も加えて行うため、ヒーターの作動状態を正確に判断でき、温度コントローラ１０２の信頼性を大幅に向上させる。【選択図】図１
2019503001.tif 000002
【特許請求の範囲】
【請求項１】
温度コントローラであって、
マイクロプロセッサと、
ヒーターの作動温度を検知する温度検知装置と、
加熱素子を流れる電流値を検知する電流検知装置と、
制御リレーと、
外部インターフェースと、
を含み、
マイクロプロセッサは、温度検知装置および電流検知装置から受信した温度および電流値に基づき、温度コントローラの作動状態を確定し、制御リレーに制御信号を送信することにより、前記ヒーターの作動を制御して温度を調節する、
ことを特徴とする温度コントローラ。
【請求項２】
マイクロプロセッサにより、温度コントローラの作動状態が正常でないと確定された場合、制御リレーを制御してヒーターへの電力供給を遮断する安全リレーをさらに含む、ことを特徴とする請求項１に記載の温度コントローラ。
【請求項３】
マイクロプロセッサの外部インターフェースには、警報信号を提供するフォトカプラソリッドステートリレーおよび温度コントローラを遠隔制御するフォトカプラが接続されている、ことを特徴とする請求項１に記載の温度コントローラ。
【請求項４】
フォトカプラソリッドステートリレーは、発光ダイオードおよび電源スイッチを含み、フォトカプラは、発光ダイオードおよびフォトトランジスタを含み、フォトカプラソリッドステートリレーの電源スイッチの一端は、フォトカプラの発光ダイオードのアノードに接続されており、該接続端はヒーター温度コントローラの入力端を構成し、フォトカプラソリッドステートリレーの電源スイッチの他端は、ヒーター温度コントローラの第１出力端であり、フォトカプラの発光ダイオードのカソードは、前記ヒーター温度コントローラの第２出力端子を構成し、
フォトカプラソリッドステートリレーの発光ダイオードのアノードは直流電源に接続され、フォトカプラソリッドステートリレーの発光ダイオードのカソードは、マイクロプロセッサのＩ／Ｏインターフェースに接続されており、
前記フォトカプラのフォトトランジスタのコレクタは直流電源に接続され、エミッターは接地されると同時にマイクロプロセッサのＣＣＰおよびアナログ信号入力端に接続されている、
ことを特徴とする請求項３に記載の温度コントローラ。
【請求項５】
前記直流電源は５Ｖである、ことを特徴とする請求項４に記載の温度コントローラ。
【請求項６】
制御リレーには、ソリッドステート双方向サイリスタが並列接続されている、ことを特徴とする請求項１〜５のいずれか一項に記載の温度コントローラ。
【請求項７】
マイクロプロセッサはゼロ電圧検知機能を備える、ことを特徴とする請求項６に記載の温度コントローラ。
【発明の詳細な説明】
【技術分野】
【０００１】
本発明は工業温度制御分野に関し、具体的には温度コントローラに関する。
【背景技術】
【０００２】
加熱は工業界において幅広く応用されている。加熱には大量なエネルギーが必要であるため、過熱の発生を防止し、設備の損害と火災等の深刻な潜在的安全問題を回避するために、適切で信頼できる温度制御が必要である。
【０００３】
伝統的な温度制御には、温度検知装置を使用し、唯一のフィードバック信号（熱電対、熱抵抗等を含む）として温度制御を行うが、これは受動的な温度制御方法である。温度検知装置またはリレーに故障が生じた場合、温度制御は正常に機能しなくなる。例えば、熱電対が、温度が設定温度より低い測定点の位置で短絡した場合、ヒーターが過熱されてしまう。余分の安全設備、例えば、温度ヒューズを使用しても、該安全設備が高温で作動するため、ヒーターを深刻に劣化させる恐れがある。また、例えば、半導体の下流配管を加熱する場合、反応室からの高温気体が加熱配管全体を加熱する恐れがあり、特に、気体の流量が極めて高い場合、従来の温度制御方法を利用する場合、温度は単に温度検知装置によりフィードバックされるため、このように高い温度は誤報を招く恐れがあり、よってプロセス過程を影響する。
【０００４】
一般的に、単一のヒーターは温度制御の目的を達成するために使用されるため、単一の温度制御で十分である場合が多い。しかしながら、半導体工業において、常に長いポンプラインを加熱しなければならず、さらに統一かつ信頼できる温度制御を確保しなければならない。また、これらの加熱配管は予防的なメンテナンスを必要とする場合が多く、ヒーターを着脱しやすくする必要があるため、複数の温度コントローラを採用して上記要求を満たさなければならない。このためには、コストが低く、信頼できる温度コントローラが必要である。また、加熱配管は一般的に非常に長いため、エネルギー消費が深刻な問題になる。さらに、加熱の温度に対する要求はプロセス過程に対する要求によるため、設定温度と出力制御を柔軟かつ便利に変更できるようにすることは、半導体プロセス配管に対する加熱に対して非常に重要である。
【０００５】
また、長い配管を加熱する作動条件のもと（例えば、半導体プロセス配管の加熱）、複数の温度コントローラ（数十個に達することもある）を同時に使用するため、温度の警報と監視は一般的にプロセス配管全体に対するものであり、単一の温度コントローラに対するものではない。温度コントローラの基において、加熱配管全体の作動状態を把握し複数のヒーターを制御するために、対応のヒーターの警報および制御モジュールを設計する必要がある。
【０００６】
現在の警報装置の機能はいずれも単一であり、温度コントローラにおける警報リレーを直列接続させることにより、低温警報を提供し正常な作動状態を表示するしかない。また、多地点通信サービスプロトコル（例えば、ＲＳ４８５、イーサネット、ＥｔｈｅｒＣＡＴ）を単一の温度コントローラに対する制御に利用することができるが、各コントローラに通信ハードウェアを備えなければならないため、温度コントローラのコストが上がってしまい、体積が大きくなる。また、各温度コントローラに対応するアドレスがなければならず、ヒーターの取り付けと温度の設定を非常に複雑にする。
【発明の概要】
【発明が解決しようとする課題】
【０００７】
上記問題を解決するために、本発明は温度コントローラを提供することを目的とする。
【課題を解決するための手段】
【０００８】
本発明に係る温度コントローラは、マイクロプロセッサと、ヒーターの作動温度を検知する温度検知装置と、加熱素子を流れる電流値を検知する電流検知装置と、制御リレーと、外部インターフェースと、を含み、マイクロプロセッサは、温度検知装置および電流検知装置から受信した温度および電流値に基づき、温度コントローラの作動状態を確定し、制御リレーに制御信号を送信することにより、前記ヒーターの作動を制御して温度を調節する。
【０００９】
また、本発明に係る温度コントローラは、マイクロプロセッサにより、温度コントローラの作動状態が正常でないと確定された場合、制御リレーを制御してヒーターへの電力供給を遮断する安全リレーをさらに含む。
【００１０】
さらに重要であることは、マイクロプロセッサの外部インターフェースには、警報信号を提供するフォトカプラソリッドステートリレーおよび温度コントローラを遠隔制御するフォトカプラが接続されている。
【００１１】
具体的には、フォトカプラソリッドステートリレーは、発光ダイオードおよび電源スイッチを含み、フォトカプラは、発光ダイオードおよびフォトトランジスタを含み、フォトカプラソリッドステートリレーの電源スイッチの一端は、フォトカプラの発光ダイオードのアノードに接続されており、該接続端はヒーター温度コントローラの入力端を構成し、フォトカプラソリッドステートリレーの電源スイッチの他端は、ヒーター温度コントローラの第１出力端であり、フォトカプラの発光ダイオードのカソードは、前記ヒーター温度コントローラの第２出力端子を構成し、フォトカプラソリッドステートリレーの発光ダイオードのアノードは直流電源に接続され、フォトカプラソリッドステートリレーの発光ダイオードのカソードは、マイクロプロセッサのＩ／Ｏインターフェースに接続されており、前記フォトカプラのフォトトランジスタのコレクタは直流電源に接続され、エミッターは接地されると同時にマイクロプロセッサのＣＣＰおよびアナログ信号入力端に接続されている。
【００１２】
説明すべきことは、前記直流電源は５Ｖ直流電源である。
【００１３】
さらに、制御リレーには、ソリッドステート双方向サイリスタが並列接続されている。
【００１４】
好ましくは、マイクロプロセッサはゼロ電圧検知機能を備えている。
【発明の効果】
【００１５】
本発明に係る温度コントローラによれば、温度測定とともに電流測定も加えて行うため、ヒーターの作動状態を正確に判断でき、温度コントローラの信頼性を大幅に向上させる。
【図面の簡単な説明】
【００１６】
【図１】本発明の温度コントローラのブロック図である。
【図２】本発明の複数の図１に示された温度コントローラを有するヒーターの警報および制御モジュールの回路図である。
【図３】本発明のヒーターの警報および制御モジュールの正常な警報操作状態での等価回路図である。
【図４】本発明のヒーターの警報および制御モジュールの温度設定操作状態での等価回路図である。
【図５】本発明のヒーターの警報および制御モジュールのヒーターのスリープ制御／第２温度有効化制御状態での等価回路図である。
【発明を実施するための形態】
【００１７】
図１に示すように、本発明の温度コントローラは、マイクロプロセッサ、ヒーターの作動温度を検知する温度検知装置、加熱部を流れる電流値を検知する電流検知装置、安全リレー、制御リレーおよび外部インターフェースを含み、ここで、マイクロプロセッサは、温度検知装置、電流検知装置から受信した温度および電流値に基づき、温度コントローラの作動状態を確定し、制御信号を安全リレーと制御リレーに送信し、よって温度を調整するために、ヒーターの作動状態を制御する。安全リレーは、マイクロプロセッサにより温度コントローラの作動状態が異常であると確定した場合、ヒーターに対する電力供給を遮断する。
【００１８】
外部インターフェースにはフォトカプラソリッドステートリレーとフォトカプラが接続され、フォトカプラソリッドステートリレーは警報信号を提供し、例えば、ヒーターが設定温度値に達した場合、該フォトカプラソリッドステートリレーはターンオン状態で作動して、警報情報を送信し、ヒーターの温度が温度設定値より低い場合、該フォトカプラソリッドステートリレーは開回路状態で作動する。該フォトカプラソリッドステートリレーはマイクロプロセッサにより制御される。フォトカプラは温度コントローラの遠隔制御に用いられ、例えば、ヒーターの制御と作動モードの切り換え、および温度設定値を変えるのに用いられ、フォトカプラの作動モードは外部信号の強さにより制御される。外部信号が非常に弱く、その出力が該フォトカプラを駆動するのに不十分である場合、（例えば、マイクロプロセッサにより送信されたＰＷＭ信号）、フォトカプラは動作せず、外部信号が非常に強い場合、該フォトカプラを駆動し、フォトカプラにおけるＬＥＤを点灯させ、信号をマイクロプロセッサに伝送し、温度コントローラの温度設定、または温度コントローラの作動モードを確定するのに用いられる。
【００１９】
通常の場合、配管の加熱は一定の加熱温度を保証しなければならない。しかし、省エネまたはプロセスの目的を達成するために、ヒーターの温度は、一定の条件のもとにおいて適当に下げることができ、ひいてはヒーターを閉じることもできる。本発明の温度コントローラは、２つの異なる温度を予め設定し、ヒーターの作動モード（温度）を迅速に切り換えることができる。
【００２０】
要するに、本発明における温度制御は、外部制御信号のない条件で独立して作動（温度制御）することができ、外部との接続により、低温／高温の警報を出し、２つの異なる作動モードに入り、または温度コントローラの温度設定値の設定操作を行うこともできる。
【００２１】
本発明の温度コントローラにおいて、温度検知装置はヒーターの作動温度を検知し、電流検知装置は、さらに、加熱部の電流値を検知し、ヒーターの作動状態を確定することができる。正常な作動状態で、ヒーターが加熱され通電される場合、電流は０より大きい。しかし、ヒーターが閉じられ冷却される場合、電流は０である。電流と温度の測定を結び付けることにより、ヒーターの作動状態を正確に確定することができる。
【００２２】
現在の電流値は０より大きいが、ヒーターの空間温度が上昇しない場合、熱電対が正常に機能しないと確定する。現在の電流値は０より大きいが、測定温度が下がっている場合、該熱電対が逆に接続されたと確定する。このような条件では、ヒーターを直ちに閉じ、警報メッセージを送信しなければならず、そうでなければ、温度ヒューズが溶断されるまで、温度は持続的に上昇する。また、温度は上昇しているが、電流が０である場合、気体が配管に沿って加熱ジャケットの逆方向に加熱されることを証明する。この条件では、温度が高すぎると警報することができるが、プロセス全体の流れを停止する必要はなく、よって不必要な運転停止による損害を回避することができる。
【００２３】
高圧機械リレーが動作する際に電弧を発生するため、このような高圧電弧による熱は、一般的に接点を溶解し酸化させることができ、よって機械リレーの作動寿命を大きく短縮させる。定格の最大作動電流条件のもと、一般的な機械リレーの寿命はわずか１０万回である。これは温度制御に対して遥かに足りない。しかし、単独でソリッドステート双方向サイリスタリレーを使用する場合、高い内部抵抗を有するため、大電流の作動状態で、大量の熱を生成することができる。これは大体積の放熱器を要求するだけでなく、部品の信頼性を低下させる。そのため、図１に示すように、本発明の温度コントローラの制御リレーにはソリッドステート双方向サイリスタが並列接続され、機械リレーが動作する際に発生する電弧を消去し、よって機械リレーの寿命を延長する目的を達成する。毎回機械リレーが動作する前に、先にソリッドステート双方向サイリスタをターンオンさせる。このように、機械リレーの接点の電圧（＜１Ｖ）を大きく低下させ、高圧機械リレーが動作する際に発生する電弧を回避する。ゼロアークリレー技術の使用により、作動寿命を数百倍向上させることができる。
【００２４】
電気的雑音を減少し双方向サイリスタの信頼性をさらに向上するために、本発明はゼロ電圧検知機能を有するマイクロプロセッサを選択し、このように、双方向サイリスタのスイッチングは交流電流がゼロ電圧の近傍で行う。
【００２５】
図２に示すように、さらに、本発明のヒーターの警報および制御モジュールを説明する。ヒーターの警報および制御モジュールのメインプロセッサｕＰ０、ヒーターの警報および制御回路、ヒーター温度制御モジュールを含み、上記ヒーター温度制御モジュールは、ｎ個の図１に示すようなヒーター温度コントローラ１０２を含み、ヒーターの警報および制御モジュールのメインプロセッサｕＰ０は、ヒーターの警報および制御回路を介してヒーター温度制御モジュールに接続される。
【００２６】
図２における各ヒーター温度コントローラ１０２は、警報に関係する部品だけを表示し、図１に示すような温度コントローラにより構成され、同じ回路構造を有し、主に、フォトカプラソリッドステートリレー、フォトカプラおよびマイクロプロセッサｕＰ１（図２における温度コントローラのマイクロプロセッサ）を含み、図１に示すように、ヒーターの制御に用いられる部品はいずれも省略されている。
【００２７】
フォトカプラソリッドステートリレーＳＳＲは、発光ダイオードおよび電源スイッチを含み、発光ダイオードに信号入力が有るか否かに基づいて、電源スイッチの開閉を制御する。フォトカプラ（Ｏｐｔｏ  Ｃｏｕｐｌｅｒ）は発光ダイオードおよびフォトトランジスタを含み、発光ダイオードに信号入力が有るか否かに基づいて、フォトトランジスタのターンオンとターンオフを制御する。
【００２８】
フォトカプラソリッドステートリレーＳＳＲの電源スイッチの一端はフォトカプラの発光ダイオードのアノードに接続され、該接続端はヒーター温度コントローラ１０２の入力端（図２におけるＩｎ  ｎ）を構成し、フォトカプラソリッドステートリレーＳＳＲの電源スイッチの他端はヒーター温度コントローラ１０２の第１出力端（図２におけるＯｕｔ  ｎ−１）であり、フォトカプラの発光ダイオードのカソードはヒーター温度コントローラ１０２の第２出力端（図２におけるＯｕｔ  ｎ−２）を構成し、フォトカプラソリッドステートリレーＳＳＲの発光ダイオードのアノードは５ｖの直流電源に接続され、カソードはマイクロプロセッサｕＰ１のＩ／Ｏインターフェースに接続される。マイクロプロセッサｕＰ１によりＩ／Ｏインターフェースを介してフォトカプラソリッドステートリレーＳＳＲを制御する。
【００２９】
フォトカプラのフォトトランジスタの集電極は５ｖの直流電源に接続され、エミッターは接地されると同時にマイクロプロセッサｕＰ１のＣＣＰ（ｃａｐｔｕｒｅ、ｃｏｍｐａｒｅ、ａｎｄ  ＰＷＭ）とアナログ信号入力端に接続される。フォトカプラ（Ｏｐｔｏ  Ｃｏｕｐｌｅｒ）はヒーターの警報および制御モジュールの出力により制御され、フォトカプラの内蔵された発光ダイオードのアノード（ヒーター温度コントローラ１０２の入力端）はヒーターの警報および制御モジュールの出力端に接続される。入力信号が直流電圧である場合、マイクロプロセッサｕＰ１はその電圧値を測定することができるが、入力信号がパルスＰＷＭ信号である場合、マイクロプロセッサｕＰ１はその周波数を測定することができる。
【００３０】
ヒーターの警報および制御モジュールのメインプロセッサｕＰ０は、ヒーターの警報および制御回路を介してヒーター温度制御モジュールに３つの異なる制御信号、即ち、（５Ｖ）ＤＣ、低出力ＰＷＭ１信号および高出力ＰＷＭ２信号を提供することができ、該制御信号は第１ヒーター温度コントローラ１０２の入力端に入力される。ここで、高出力ＰＷＭ２信号は、緩衝演算増幅器により出力を向上させた後、さらに第１ヒーター温度コントローラ１０２の入力端に出力される。第２ヒーター温度コントローラ１０２の入力端は第１ヒーター温度コントローラ１０２の第１出力端に接続され、同様に、第ｎのヒーター温度コントローラ１０２の入力端が第ｎ−１のヒーター温度コントローラ１０２の出力端に接続されるまで、後のヒーター温度コントローラ１０２の入力端は前のヒーター温度コントローラ１０２の出力端に順に接続され、第ｎのヒーター温度コントローラ１０２の出力端は端末回路コンデンサＣ１の一端（図３）に接続され、端末回路コンデンサＣ１の他端はｎ個のヒーター温度コントローラ１０２の第２出力端に接続され、端末回路コンデンサＣ１のｎ個のヒーター温度コントローラ１０２の第２出力端に接続された一端はヒーターの警報および制御モジュールのメインプロセッサｕＰ０に接続される。
【００３１】
具体的には、ｎ個のヒーター温度コントローラ１０２の第２出力端はヒーターの警報および制御モジュールのメインプロセッサｕＰ０のアナログ信号入力（ＡＩ）端に接続されて直流電圧を測定するとともに、さらに第１コンデンサＣ３を介してヒーターの警報および制御モジュールのメインプロセッサｕＰ０のＣＣＰ端に接続されて周波数を測定し、端末回路コンデンサＣ１のｎ個のヒーター温度コントローラ１０２の第２出力端に接続された一端はＡＣ分圧コンデンサＣ２を介して接地されるとともに、さらにトライオードＱ１の集電極に接続され、上記トライオードＱ１のベース電極はヒーターの警報および制御モジュールのメインプロセッサｕＰ０のＩ／Ｏ端に接続され、トライオードＱ１のエミッターは接地される。該トライオードＱ１は警報する際にターンオフ状態になり、温度コントローラを制御する際にターンオンされる。
【００３２】
上記のように、ヒーターの警報および制御モジュールのメインプロセッサｕＰ０は、ヒーター温度コントローラ１０２に３つの異なる制御信号、即ち、（５Ｖ）ＤＣ、低出力ＰＷＭ１信号および高出力ＰＷＭ２信号を提供し、これらの信号はそれぞれ温度コントローラの３つの作動モード、即ち、制御モード（５ＶＤＣ）、警報モード（低出力ＰＷＭ１）、または温度設定モード（高出力ＰＷＭ２）に用いられる。
【００３３】
入力信号が低出力ＰＷＭ１信号（警報モード）である場合、該信号は、先に、第１ヒーター温度コントローラ１０２の入力端に出力される。ＰＭＷ１の信号が非常に弱いため、温度コントローラにおけるフォトカプラ（Ｏｐｔｏ  Ｃｏｕｐｌｅｒ）は開回路状態になり、従って、これはｎ個の温度コントローラ１０２におけるフォトカプラソリッドステートリレーＳＳＲにより構成された直列回路に相当する。
【００３４】
この場合、フォトカプラソリッドステートリレーＳＳＲの状態はマイクロプロセッサｕＰ１により制御され、ＳＳＲの動作は内蔵された発光ダイオードにより遂行される。ヒーターの温度が温度コントローラの設定値より低い場合、ＳＳＲが開回路状態になるように、マイクロプロセッサｕＰ１はフォトカプラソリッドステートリレーＳＳＲの発光ダイオードのカソードのＩ／Ｏインターフェースに接続されて高電位を出力する。しかし、ヒーターの温度が温度コントローラの制御範囲内（設定値に近く、具体的な範囲は予め設定される）である場合、ＳＳＲが閉状態になるように、マイクロプロセッサｕＰ１はフォトカプラソリッドステートリレーＳＳＲの発光ダイオードのカソードのＩ／Ｏインターフェースに接続されて低電位を出力する。これらの直列接続されたヒーター温度コントローラ１０２におけるフォトカプラソリッドステートリレーＳＳＲに、端末回路コンデンサＣ１を加え、警報制御回路の回路を構成する。
【００３５】
第１ヒーターコントローラ１０２により制御されるヒーターが温度コントローラの制御範囲に入った場合、内部のフォトカプラソリッドステートリレーＳＳＲは閉状態になり、この場合、警報用の低出力ＰＷＭ１入力信号は第１ヒーター温度コントローラ１０２の第１出力端から出力され、さらに第２ヒーター温度コントローラ１０２の入力端から第２ヒーター温度コントローラ１０２に入力され、第ｎヒーター温度コントローラ１０２まで順に行う。しかし、そのうちのあるヒーター温度コントローラ１０２により制御されるヒーターが温度コントローラの制御範囲に入っていない場合、該ヒーター温度コントローラ１０２におけるフォトカプラソリッドステートリレーＳＳＲは開回路状態になり、この場合、警報用の低出力ＰＷＭ１信号の入力信号は該ヒーター温度コントローラ１０２の第１出力端から出力されず、低出力ＰＷＭ１信号はヒーターの警報および制御モジュールのメインプロセッサｕＰ０に戻らない。
【００３６】
このように、沿線の全てのｎ個のヒーター温度コントローラ１０２がいずれも温度コントローラの制御範囲に入った場合のみ、警報用の低出力ＰＷＭ１入力信号が第１ヒーター温度コントローラ１０２から第ｎのヒーター温度コントローラ１０２に伝送され、さらに端末回路コンデンサＣ１を介して閉されたＡＣ回路を形成し、ヒーターの警報および制御モジュールにより送信された警報用の低出力ＰＷＭ１入力信号をヒーターの警報および制御モジュールに返す。逆の場合、沿線のｎ個のヒーター温度コントローラ１０２にたった１つの温度コントローラだけでも温度コントローラの制御範囲に入っていない場合、警報用の低出力ＰＷＭ１入力信号はヒーターの警報および制御モジュールのメインプロセッサｕＰ０に返されない。従って、ヒーターの警報および制御モジュールのメインプロセッサｕＰ０が自ら送信した警報用の低出力ＰＷＭ１入力信号を受信することができる場合、沿線の全てのヒーターがいずれも温度コントローラの制御範囲に入ったことを証明することができ、正常に作動する。逆の場合なら、少なくとも１つのヒーターが温度コントローラの制御範囲に入っていないことを説明する。この場合、ヒーターの警報および制御モジュールは警報を出す。
【００３７】
ヒーターの警報および制御モジュールが警報のみに用いられる場合、端末回路コンデンサＣ１を短絡回路により代替することができる。コンデンサおよび普通の電線はいずれもＡＣ回路のスムーズな作動を保証することができるからである。しかし、短絡回路を採用する場合、ヒーターの警報および制御モジュールはヒーター温度コントローラ１０２の作動モードの切り換え、およびヒーター温度コントローラ１０２の温度設定値の変更に用いることができない（詳細については後述する）。
【００３８】
ヒーターの警報および制御モジュールによりヒーター温度コントローラ１０２に対する制御操作を行う場合、先に、特定の温度警報周波数と異なるＰＷＭ１’信号を送信しなければならない。該信号が第１ヒーター温度コントローラ１０２の入力端に達した場合、第１ヒーター温度コントローラ１０２におけるマイクロプロセッサｕＰ１はフォトカプラにより該信号の周波数を検知する。ヒーターの警報および制御モジュールにより制御信号の特定周波数の信号を送信すると確認された場合、ヒーター温度コントローラ１０２におけるマイクロプロセッサｕＰ１はコマンドを送信してフォトカプラソリッドステートリレーＳＳＲを強制で閉じ、このように、特定周波数のＰＷＭ１’信号を第１ヒーター温度コントローラ１０２の第１出力端から出力させ、第２ヒーター温度コントローラ１０２の入力端に伝達することができる。同様に、ｎ個のヒーター温度コントローラ１０２のフォトカプラソリッドステートリレーＳＳＲが全て閉じるまで、後のヒーター温度コントローラ１０２におけるマイクロプロセッサは、コマンドを送信してフォトカプラソリッドステートリレーＳＳＲを１つずつ強制で閉じる。
【００３９】
全てのヒーター温度コントローラ１０２におけるフォトカプラソリッドステートリレーＳＳＲがいずれも強制で閉じられた後、ヒーターの警報および制御モジュールは５ＶのＤＣ電圧を出力することにより、端末回路が短絡されたか否かを判断する。端末回路がＤＣ短絡状態である場合、ヒーターの警報および制御モジュールのアナログ入力（ＡＩ）端は該５Ｖの電圧を測定できる。この場合、ヒーター温度コントローラ１０２に対する制御操作を停止する。このような条件のもと、トライオードＱ１が閉じられた場合、回路全体は短絡状態になる。回路がターンオンされると、回路電流が大きすぎるため、制御回路の信頼性に影響を与える。
【００４０】
端末回路が開回路状態であり、または回路コンデンサを有することが証明された場合、ヒーターの警報および制御モジュールのアナログ入力（ＡＩ）端は該５Ｖの電圧を測定することができず、この場合、ヒーターの警報および制御モジュールはトライオードＱ１を閉じ、５ＶのＤＣを送信し始めまたは緩衝演算増幅器により出力を向上させた後に高出力ＰＷＭ２信号を出力し、ヒーター温度コントローラ１０２を制御する。沿線の全ての温度コントローラにおけるマイクロプロセッサｕＰ１は、受信した信号に基づき、かかる操作を行う。
【００４１】
図３は正常な警報の等価回路図である。トライオードＱ１が開回路状態であるため、回路図から省略する。ヒーターの警報および制御モジュールのメインプロセッサｕＰ０は低出力ＰＷＭ１信号を送信し、全てのヒーターがいずれも温度コントローラの制御範囲に入った場合、ｎ個のヒーター温度コントローラ１０２のフォトカプラソリッドステートリレーは全てターンオンされ、直列接続された温度コントローラにおけるフォトカプラソリッドステートリレーＳＳＲ、端末コンデンサＣ１（０．１ｕＦ）、ＡＣ分圧コンデンサＣ２（０．０１ｕＦ）およびコンデンサＣ３（０．１ｕＦ）はコンデンサ回路を構成し、ヒーターの警報および制御モジュールのメインプロセッサｕＰ０は、正常なヒーターの作動状態を代表するＰＷＭ１パルスを受信することができ、よって全てのヒーターが正常に作動していると確定する。これらのリレーのいずれか１つが開回路状態である場合、少なくとも１つのヒーターがヒーターの設定温度に達していないことを表し、それにより、ヒーターの警報および制御モジュールのメインプロセッサｕＰ０により外部へ警報を出す。
【００４２】
端末コンデンサＣ１が接続されていない場合、警報機能を実現することができない。しかし、温度設定および操作モードを変える機能は依然として実行することができる。端末コンデンサが短絡された場合、警報機能は依然として実現することができるが、温度設定および操作モードを変える機能は実行することができない（システム自己保護）。
【００４３】
ヒーター温度コントローラ１０２の温度を設定する際に、以下のステップにより実現する。
【００４４】
１、温度制御のプリコマンドを送信し、ヒーター温度コントローラ１０２におけるソリッドステートリレーを強制で閉じる。
【００４５】
これは、ヒーターの警報および制御モジュールのメインプロセッサｕＰ０により、ヒーターの警報および制御モジュールのＰＷＭ１信号ラインを介して、ヒーター温度コントローラ１０２に特定周波数のＰＷＭ１’信号を送信することである。ヒーター温度コントローラ１０２のマイクロプロセッサｕＰ１により該信号を検知した後、直ちにコマンドを送信し、ヒーター温度コントローラ１０２におけるソリッドステートリレーＳＳＲを１つずつ強制で閉じる。
【００４６】
２、回路がＤＣ短絡されたか否かを検知する。
【００４７】
この際、トライオードＱ１が開回路状態である条件で、ヒーター温度コントローラ１０２に５ＶのＤＣ電圧を送信する。温度コントローラのメインコントローラｕＰ０により５Ｖの電圧が検知された場合、回路がＤＣ短絡されたことを証明し、制御コマンドは送信されない。測定された電圧が５Ｖより低い場合、Ｑ１を閉じ、温度制御の操作を続ける。
【００４８】
３、温度を設定する。
【００４９】
ヒーター温度コントローラ１０２の温度設定は、ヒーターの警報および制御モジュールのメインプロセッサｕＰ０により高出力ＰＷＭ２信号を送信することにより実現する。緩衝演算増幅器により、ＰＷＭ２の出力が向上され、ＰＷＭ２は、ヒーター温度コントローラ１０２内部の全てのフォトカプラを駆動することができる。トライオードＱ１はターンオンされている。これで、全てのフォトカプラ（数十個に達することができる）を駆動する十分な電流を有することができる。
【００５０】
ヒーター温度コントローラ１０２におけるマイクロプロセッサｕＰ１がＰＷＭ２のパルス信号を受信した場合、ヒーター温度コントローラ１０２内部のマイクロプロセッサｕＰ１は検知したＰＷＭ２信号周波数を温度設定値に変換し、チップに記憶する。
【００５１】
４、温度の表示を行う。
【００５２】
同時に多くのヒーター温度コントローラ１０２の温度設定を変えるため、本発明は３色ＬＥＤを採用してヒーター温度コントローラ１０２の設定温度を表示する。例えば、赤ランプが１回点滅するたびに１００℃を表し、緑ランプが１回点滅するたびに１０℃を表し、青ランプが１回点滅するたびに１℃を表し、速く点滅することは０を表す。このような設計は簡単化回路の設計を獲得することができる。そして、非常に直観的である。
【００５３】
このような温度設定方法は、複数のヒーター温度コントローラ１０２の温度設定値を同時に設定することができる。ヒーター温度コントローラ１０２のアドレスを設定する必要がないだけでなく、通信チップを取り付ける必要もない。コストを大幅に削減し、ユーザーに利便性を与える。
【００５４】
ヒーターの警報および制御モジュールは、さらに、スリープ制御／第２温度有効化を行うことができ、ヒーターの警報および制御モジュールにより提供される５Ｖ直流電圧により遂行される。この際、端末コンデンサは開回路状態に（ＤＣ電圧はコンデンサによりターンオンされることができない）なり、従って、等価回路において省略する。トライオードＱ１はターンオンされており、全ての制御用フォトカプラは有効化され、全てのフォトカプラソリッドステートリレーはいずれも強制で閉じられた状態になる。下図はヒーター温度コントローラのスリープ制御／第２温度有効化制御の等価回路図である。
【００５５】
このような作動条件のもと、警報および制御モジュールの１０１におけるＰＷＭ１は、５ＶのＤＣ電圧により開通される前に特定周波数のＰＷＭ１’信号を送信し、ヒーター温度コントローラ１０２内部のマイクロプロセッサｕＰ１にヒーター温度コントローラ１０２におけるソリッドステートリレーＳＳＲを強制で閉じることを指示する。回路がＤＣ短絡されたか否かは、トライオードＱ１が開回路された条件のもとで、制御回路に５ＶのＤＣ電圧を送信することにより測定される。回路がＤＣ短絡された場合、警報および制御モジュールの１０１は５Ｖの電圧を測定できる。このような条件のもと、ヒーターのスリープ制御のコマンドは実行されない。回路がＤＣ開回路である場合、警報および制御モジュールの１０１は５Ｖより低い電圧を測定することができる。このような条件においてのみ、ヒーターはスリープ制御のコマンドを送信する。この際、ヒーター温度コントローラ１０２内部のマイクロプロセッサは直流電圧を検知する。この直流電圧は２次温度制御をトリガーする。２次温度設定値が十分に低い場合、ヒーターはスリープ状態に入る。ｕＰ１には２次温度制御の温度値が予め記憶されており、５Ｖの直流電圧が検知されなかった場合、温度コントローラはマイクロプロセッサにおける正常温度設定値を利用し、５Ｖの直流電圧が検知された場合、温度コントローラはマイクロプロセッサにおける第２温度設定値を利用して温度制御を行う。
【００５６】
上記説明は本発明の好ましい実施例を示し記述したが、本発明は本明細書に開示された形態に限定されず、その他の実施例に対する排除と見なしてはならず、様々なその他の組合せ、補正および環境に用いられることができ、本明細書に記載の発明構想の範囲内で、上記教示またはかかる分野の技術又は知識により変更することができることを理解すべきである。当業者が行う変更と変化は本発明の精神と範囲を逸脱しない限り、本発明の特許請求の範囲の保護範囲内であるべきである。
【図１】
2019503001.tif 000003
【図２】
2019503001.tif 000004
【図３】
2019503001.tif 000005
【図４】
2019503001.tif 000006
【図５】
2019503001.tif 000007
【国際調査報告】
2019503001.tif 000008
2019503001.tif 000009
2019503001.tif 000010
2019503001.tif 000011
2019503001.tif 000012
2019503001.tif 000013